(57)【要約】【課題】浴室で使用することができる足裏の指圧装置に関し、足裏にある複数のツボへの手指による指圧動作に近い動作をそれぞれのツボに対向して設けた突起に行わせることが可能な流体圧駆動の足裏指圧装置を提供する。【解決手段】突出高さを押し揉みないし押しずらし方向に順次低くし、かつそれぞれの突起を個別に突出方向に付勢するばねやスポンジなどの弾器を設けた突起群を押しずらし動作の必要な親指の腹の部分及び／又は土踏まずの前縁内側縁寄りの部分に設けて、これらの突起群を単純に足裏に向けて進退させたときに、高さの異なる複数の突起の順次押込み動作により、ツボに押しずらし動作を与えたときと同様な押圧作用を付与する。手動の加圧器を用いれば、循環ポンプなどの付属設備も不要となり、一般家庭での使用にも適している。【選択図】      図２
2006158960.tif 000002
【特許請求の範囲】
【請求項１】
足裏に向いた突起(6)を備えた足載せ台(5)と、前記突起を進出方向に付勢する加圧流体を受入れる流体室(3)と、この流体室の加圧と加圧解除とを行う開閉弁(11)ないし加圧器(55)とを備えた足裏指圧装置において、前記突起が、親指の腹に当たる部分に、指先側から根本側へと順に高くかつ突出方向にばね付勢された複数の突起からなる親指用突起群(8)を含んでいることを特徴とする、足裏指圧装置。
【請求項２】
足裏に向いた突起(6)を備えた足載せ台(5)と、前記突起を進出方向に付勢する加圧流体を受入れる流体室(3)と、この流体室の加圧と加圧解除とを行う開閉弁(11)ないし加圧器(55)とを備えた足裏指圧装置において、前記突起が、土踏まずの内縁側前縁に当たる部分に、足裏の内側から内縁側へと順に高くかつ突出方向にばね付勢された、複数の突起からなる土踏まず前縁用突起群(9)を含んでいることを特徴とする、足裏指圧装置。
【請求項３】
足裏に向いた突起(6)を備えた足載せ台(5)と、前記突起を進出方向に付勢する加圧流体を受入れる流体室(3)と、この流体室の加圧と加圧解除とを行う開閉弁(11)ないし加圧器(55)とを備えた足裏指圧装置において、前記突起が、親指の腹に当たる部分に、指先側から根本側へと順に高くかつ突出方向にばね付勢された複数の突起からなる親指用突起群(8)と、土踏まずの内縁側前縁に当たる部分に、足裏の内側から内側縁へと順に高くかつ突出方向にばね付勢された、複数の突起からなる土踏まず用突起群(9)とを含んでおり、かつ、この土踏まず用突起群と前記親指用突起群との間隔を調整する位置決め機構(33)を備えていることを特徴とする、足裏指圧装置。
【請求項４】
前記開閉弁が、加圧源に連結された圧力供給配管に設けた手動の開閉弁(11)である、請求項１、２又は３記載の足裏指圧装置。
【請求項５】
前記加圧器が、流体容器(56)と、戻りばね(60)を有する操作レバー(59)と、当該操作レバーに連結されて往復動するピストン(57)と、当該ピストンの両側の流体室を連通する流体通路(68a)及び加圧流体の出口(85)に設けられた逆止弁(61,62)と、当該逆止弁の開放装置(63,64)とを備えた加圧器である、請求項１、２又は３記載の足裏指圧装置。
【発明の詳細な説明】
【技術分野】
【０００１】
この発明は、浴室で使用することができる足裏の指圧装置に関するもので、人間の手指による指圧効果と同様な効果を発揮できるようにした上記装置に関するものである。
【背景技術】
【０００２】
足裏を載せる足載せ台に足裏に向けて１個ないし多数の突起を設け、この突起を足裏に向けて付勢することにより、指圧ないしマッサージ効果を得ようとする装置は公知である。指圧ないしマッサージは、浴室ないし浴槽内で行うことにより、体調改善や疲労回復効果をよりよく発揮させることができるが、駆動源として電気を用いるものは、湿気による電気系統の故障や感電のおそれがあるため、浴室や浴槽内での使用には適していない。
【０００３】
そこで、駆動源としてポンプで循環させた浴槽内の温水を駆動源とする装置が提案されている。また、浴室での使用を意図したものではないが、空気圧駆動の装置も提案されている。
【０００４】
足裏の指圧ないしマッサージ装置は、指圧効果を得るための進退する突起を備えており、いわゆるツボの位置にのみ突起を設けたものや、足裏全面に当たる多数の突起を設けたものがあるが、これらの従来装置は、いずれも足裏への突起の押圧と押圧解除とを単純に繰り返す構造で、人間が手指でツボ治療を行うときのように、ツボを足裏の前後や左右方向に押し動かすことはできない。
【特許文献１】特開２００３‐２７５２７７号公報
【特許文献２】特開２００２‐１２６０３７号公報
【発明の開示】
【発明が解決しようとする課題】
【０００５】
足裏のツボに対する指圧効果をより有効に発揮させるためには、当該ツボを押圧する突起に指圧師が手指で行っている動作と同様な動作をさせてやればよいが、足裏の複数のツボを押圧する突起にそれぞれ独自の動きをさせようとすると、装置の構造が複雑になる。特に浴槽内でも使用可能な装置にしようとすると、個々の動作部分に対するシール構造も必要となって、装置が極めて複雑高価となり、また保守も面倒になって、一般家庭では到底使用することができない装置になってしまう。
【０００６】
足裏にある主要なツボとして、親指の腹の部分、土踏まずの内側縁の前縁部分及び湧泉と呼ばれる足裏中心の前よりの部分があげられる。これらの部分の手指による押圧方法としては、親指の腹については、押しながら手指を指の根元から指先の方へとずらす動き、土踏まずの前縁部分については、足裏の内側の縁の方から足裏の中心の方へと押しながらずらす動きで指圧が行われており、湧泉については、単純に押す又は叩く動作で指圧が行われている。
【０００７】
これらの動作の内、湧泉に対してのものは、比較的容易に実現可能で、前記特許文献１には、湧泉に対向する突起を流体圧で進退させる構造が示されている。しかし、他の２箇所に対する押し揉むないし押しずらす動作は、その方向が異なることもあって、湧泉や足裏全体への指圧作用と同時に実現することは困難である。
【０００８】
この発明は、足裏にある複数のツボへの手指による指圧動作に近い動作をそれぞれのツボに対向して設けた突起に行わせることが可能な流体圧駆動の簡単な構造の足裏指圧装置を提供することを課題としている。
【課題を解決するための手段】
【０００９】
この発明では、突出高さを押し揉みないし押しずらし方向に順次低くし、かつそれぞれの突起を個別に突出方向に付勢するばねやスポンジなどの弾器を設けた突起群を押しずらし動作の必要な親指の腹の部分及び／又は土踏まずの前縁内側縁寄りの部分に設けて、これらの突起群を単純に足裏に向けて進出させたときに、高さの異なる複数の突起の順次押込み動作により、ツボに押しずらし動作を与えたときと同様な押圧作用を付与することにより、上記課題を解決している。
【００１０】
本願の請求項１の発明に係る足裏指圧装置は、湧泉及び／又は足裏全体に対する指圧動作と共に、親指の腹に対する押しずらし動作を行わせる足裏指圧装置であり、足裏に向いた突起６を備えた足載せ台５と、前記突起を進出方向に付勢する加圧流体を受入れる流体室３と、この流体室の加圧と加圧解除とを行う開閉弁１１ないし加圧器５５とを備えた足裏指圧装置において、前記突起は、親指の腹に当たる部分に、指先側から根本側へと順に高くかつ突出方向に付勢された複数の突起からなる親指用突起群８を含んでいることを特徴とするものである。
【００１１】
また、本願請求項２の発明に係る足裏指圧装置は、湧泉及び／又は足裏全体に対する指圧動作と共に土踏まずの前縁部に対する押しずらし動作を行わせる足裏指圧装置であり、足裏に向いた突起６を備えた足載せ台５と、前記突起を進出方向に付勢する加圧流体を受入れる流体室３と、この流体室の加圧と加圧解除とを行う開閉弁１１ないし加圧器５５とを備えた足裏指圧装置において、前記突起は、土踏まずの内縁側前縁に当たる部分に、足裏の内側から内縁側へと順に高くかつ突出方向に付勢された、複数の突起からなる土踏まず前縁用突起群９を含んでいることを特徴とするものである。
【００１２】
また、本願の請求項３の発明は、湧泉及び／又は足裏全体に対する指圧動作と共に、親指の腹に対する押しずらし動作と土踏まず前縁部に対する押しずらし動作とを共に行わせるようにした足裏指圧装置であり、足裏に向いた突起６を備えた足載せ台５と、前記突起を進出方向に付勢する加圧流体を受入れる流体室３と、この流体室の加圧と加圧解除とを行う開閉弁１１ないし加圧器とを備えた足裏指圧装置において、前記突起は、親指の腹に当たる部分に、指先側から根本側へと順に高くかつ突出方向に付勢された複数の突起からなる親指用突起群８と、土踏まずの内縁側前縁に当たる部分に、足裏の内側から内側縁へと順に高くかつ突出方向に付勢された、複数の突起からなる土踏まず用突起群９とを含んでなり、この土踏まず用突起群と前記親指用突起群との間隔を調整する位置決め機構３３を備えていることを特徴とするものである。
【００１３】
請求項３の構造における位置決め機構３３は、親指に対向する突起群８と、土踏まず前縁部に対向する突起群９との間隔を使用する人の足の大きさに合せて設定可能にするためのものである。
【００１４】
これらの足裏指圧装置は、上記突起群８、９と共に、湧泉に対向する位置に１個又は数個の湧泉押圧用の突起を備えているか、下記実施形態に示すように足裏全体を押圧する多数の固定的な突起を備えているか、あるいは足裏全体の突起と湧泉に対向する突出高さの高い突起とを備えた構造とする。これにより、湧泉及び／又は足裏全体と親指の腹及び／又は土踏まず前縁に対する指圧動作とが同時に行われることになる。
【００１５】
上記構造の足裏指圧装置の流体室３を加圧及び加圧解除する開閉弁や加圧器としては、手動の開閉弁１１や手動の加圧器５５を用いるのが便利であり、装置の使用者自身が各人の好み及び目的とするツボへの押圧周期に応じた周期で開閉弁１１や加圧器５５を操作することにより、個々の使用者に応じたより良好な指圧効果が期待できる。更に、手動の加圧器５５を用いたときは、ツボへの最適な押圧力の調整も使用者自身で容易に行うことができる。
【００１６】
上記のこの発明の足裏指圧装置は、公知の機械要素の各種の組合せで実現可能であるが、特に請求項５に記載のように、流体容器５６と、戻りばね６０を有する操作レバー５９と、当該操作レバーに連結されて往復動するピストン５７と、当該ピストンの両側の流体室を連通する流体通路６８ａ及び加圧流体の出口８５に設けられた逆止弁６１、６２と、当該逆止弁の開放装置６３、６４とを備えた加圧器５５を採用することにより、好みの時に浴槽内を含む好みの場所で手軽に使用できるをコンパクトで安価な足裏指圧装置を提供できる。
【発明の効果】
【００１７】
この発明により、足裏にある複数のツボへの手指による押しずらし動作に近い押圧操作を簡単な構造の流体圧駆動で行わせることができる足裏指圧装置が得られる。従って、この発明の装置を用いることにより、浴室や浴槽内で人手を借りずに足裏への効果的な指圧を行うことが可能になり、かつ装置を安価に提供できると共に、循環ポンプなどの付属設備も不要であるから、一般家庭での使用にも適しているという効果がある。
【発明を実施するための最良の形態】
【００１８】
以下、図面を参照してこの発明の実施形態を説明する。図の装置は、可搬式の基台１の上面に設けた凹所をダイヤフラム２で閉鎖して流体室３を形成し、ダイヤフラム２の表面中央に押接されて進退するロッド４の先端に足載せ台となる受板５を連結し、この受板の上面に足裏全体を押圧する多数の突起６を設けると共に、親指の腹に対向する部分と土踏まずの内側縁前縁に対向する部分とに高さを順次高くし、かつ内蔵ばね７で付勢された突起群８、９を設けた構造である。
【００１９】
流体室３への加圧流体の開閉器としては、片手で操作するレバー１０によって流体通路を開閉する開閉弁１１を用いる例と、両手で操作するレバー５９によって圧力流体を発生する加圧器５５を用いる例が示されている。以下、装置の詳細構造について説明する。
【００２０】
基台１は、前後に搬送用の把手１２を設けた樹脂成形品で、上面４箇所すなわち両側の足の足裏中央の前方と後方となる位置に流体室３となる浅い皿状の凹所が設けられている。流体室３は、その底面に小面積の升３ａを備えている。基台１の底部中央前後方向に流体室３への流体の通路となる通孔１３が設けられ、この通孔からキの字形に枝分れした枝孔１４がそれぞれの流体室３の升３ａに連通されている。通孔１３は、基台１の爪先側に開口し、後述する手動の開閉弁や加圧器に連通するホース１５がこの開口に連結されている。
【００２１】
基台１には、両足の足裏の中央と両外側となる位置に前後方向に細長いベルト通し１７が立設されている。このベルト通し１７は、受板５を緩くガイドするガイド部材ともなっている。
【００２２】
流体室３を形成する凹所には、押え蓋１８で周縁を固定された薄いゴムシートからなるダイヤフラム２が嵌め込まれている。押え蓋１８は、中央にロッド４を緩く案内するガイド孔２０を備え、内側にダイヤフラム２の膨出を許す空間２１を備えている。押え蓋１８は、周縁に設けた複数のボルト孔に挿通したボルトで基台１に締結されており、ダイヤフラム２の周縁は、押え蓋１８の周縁と基台１側の凹所の底面とで挟持された状態で固定されている。
【００２３】
ロッド４は、下端に鍔２２を備えており、ロッド４に挿通されて鍔２２の上面と押え蓋１８との間に装架された圧縮ばね２３により、鍔２２の下面がダイヤフラム２に押接された状態となっている。ロッド４は、各流体室３に設けられており、従って押え蓋１８を取り付けた基台１から４本のロッド４が突出し、この４本のロッドは、通孔１３への流体圧の供給と排出とに同期して、同時に昇降することとなる。
【００２４】
受板５は、この４本のロッドの先端に設けたねじで固定されている。より詳しく言うと、上面に足裏全体を押圧する多数の突起を一体に設け、かつ中央に中央のベルト通し１７に緩く嵌合する前後方向に細長いガイド孔２４を上下に貫通して設けた樹脂成形品からなる受板の裏面に凹部２５が形成してあり、この凹部２５を閉鎖するように受板５の裏面に固定したステンレス板２６にロッド４の先端がナット２７で締結されている。受板の凹部２５は、このナットを収納するためと、親指用突起群８のベース２８の鍔２８ａを脱落不能に案内するために形成されたものである。
【００２５】
受板５には、上面全体に亘って多数の押圧突起６が一体に設けられる共に、この受板に載せられる足裏の親指の腹に対向する位置及び土踏まずの前縁部の足の内側の縁近くの部分に対向する位置にそれぞれ親指用突起群８及び土踏まず前縁用突起群９が取り付けられている。これらの突起群８、９は、それぞれ直線的に配置された高さが順次高くなる突起２９ａ、２９ｂ、２９ｃからなり、各突起２９ａ、２９ｂ、２９ｃは、ガイド孔３０に軸方向摺動自在かつ当該ガイド孔に内装されたコイルばね７で突出方向に付勢されて設けられている。
【００２６】
土踏まず前縁用突起群９のガイド孔３０は、受板５に設けられており、一方親指用突起群８のガイド孔３０は、受板５の前後方向の長孔３３に嵌装されたベース２８に設けられている。これらの突起群の突起２９ａ、２９ｂ、２９ｃは、総て固定の突起６よりも高い突出高さを備えている。そして、親指用突起群８は、一番高い高さの突起２９ｃが足載せ台５に載せた足裏の親指の根元部分に対向し、低いものが順次指先側に対向するように、突起の配列方向を前後方向にして取り付けられている。また土踏まず前縁用突起群９は、最も高い突起２９ｃを足裏の内側縁側にして順次低いものをこれより足の中心側に位置させるように、突起の並びを左右方向にして取り付けられている。
【００２７】
受板５の親指用突起群８を取り付ける部分には、前後方向の長孔３３が設けられており、この長孔３３とその下の凹部２５とに脱落防止鍔２８ａ付きのベース２８が挿入された状態で長孔３３に沿って前後方向に移動可能に取り付けられている。そして、長孔３３の一方の側面には、緩い波形が形成され、ベース２８の対向側面には、１個の突出部が設けられて、この突出部を前記波形の凹の部分に嵌合させた状態で、ベース２８の位置が係止されるようになっている。すなわちベース２８を長孔３３に沿って移動し、所望の係止位置に係止することにより、足の大きさに合せて親指用突起群８と土踏まず前縁用突起群９との間隔を調整する。
【００２８】
受板５の踵が載る部分には、中央と両側とにベルト掛け３５が立設され、このベルト掛けに長さ調整可能な踵押さえベルト３６が装架されている。このベルト３６の長さを調整することにより、踵を当該ベルトに当てた状態で足裏を受板５上に載せたとき、土踏まず前縁用突起群９が足裏の土踏まずの前縁内側縁寄りに当接するようにする。受板５に載せた足は、ベルト通し１７に挿通したベルト５１で甲を固定することもできる。
【００２９】
流体室３に供給される流体圧として水道圧やポンプで加圧した浴槽の湯などを利用するときは、その加圧水又は湯をオンオフする手動の開閉弁１１を設ける。開閉弁１１の構造は、特に限定されないが、好ましい一例を図７に示す。図７のものは、手で握るグリップ３８に手指で操作するレバー１０をピン３９で枢着して、このレバーの揺動により軸方向移動する弁軸４０に流入用弁体４１と排出用弁体４２とを固定した構造で、流入用弁体４１と排出用弁体４２とは、そのいずれか一方が弁座４３、４４に当接して流路を開閉する。
【００３０】
図７に示した状態では、戻りばね４５によって流入用弁体４１が弁座４３に当接して流入路４６を閉じ、排出用弁体４２が弁座から離れて排出路４７を開いている。手指でレバー１０を握ると、排出用弁体４２が弁座４４に当接して排出路４７を閉じ、流入用弁体４１が弁座４３から離れて流入路４６を開く。流入路４６は、ホース４８で水道の蛇口に連結されており、排出路４７には排水ホース４９が連結されている。足裏指圧装置の通孔１３は、ホース１５で流入用弁体４１と排出用弁体４２との間の空間に連結されている。
【００３１】
以上の構成において、使用者が親指用突起群８及び土踏まず前縁用突起群９が自分の足裏の該当する部分に当接するように、ベース２８と踵押さえベルト３６とを調整して、両足の足裏を受板５上に載せ、要すればベルト通し１７に挿通したベルト５１で甲を固定して、手動開閉弁１１のレバー１０を握ると、升３ａに流入した水道水がダイヤフラム２を押上げて流体室３に水圧が供給されてロッド４が上動し、受板５が足裏に向けて付勢され、受板全面に設けた突起が足裏全体を指圧すると共に、親指用突起群８及び土踏まず前縁用突起群９が足裏のツボとなっている親指の腹及び土踏まずの前縁内側縁部分を押圧する。
【００３２】
このとき、親指用突起群８及び土踏まず前縁用突起群９は、突出高さの高い突起２９ｃから低い突起２９ｂ、２９ａへと順に足裏へ当接し、親指の腹を根元から指先へと押しずらすように作用し、また、土踏まずの前縁部を左右の足裏の内側の縁から足裏内方へと押しずらすように作用して、手指による指圧動作と同様な指圧作用をこれらのツボ部分に与える。手動開閉弁１１のレバー１０を緩めれば、流体室３の圧力が開放されて、受板５の押圧力が開放される。従って、使用者が自分の好みにより、あるいは指圧療法に則った周期でレバー１０を操作することによって、人手による指圧と殆ど同様な指圧作用が得られる。
【００３３】
以上の例では、足裏の湧泉に対して特別の考慮を払っていないが、受板の湧泉に対向する部分に突出方向にばね付勢された突出高さの高い突起を設けることによって、湧泉を他の部分のより強い力で押す装置を簡単に実現することができる。
【００３４】
以上の例は、水道水やポンプで加圧した浴槽の湯などを手動の開閉弁１１でオンオフ制御することにより、足裏への指圧動作を行わせる例である。このような加圧源と開閉弁との組合わせに代えて、手動の加圧器で指圧動作を行わせることもできる。図８は、そのような加圧器の好ましい構造の一例を示す断面図、図９は、図８の加圧器を上蓋７４を外して上方から見た外観図、図１０は、側面から見た外観図である。
【００３５】
図の加圧器５５は、水容器５６と、ピストン５７を備えたシリンダブロック５８と、ピストン５７を上動させる操作レバー５９と、ピストン５７を下降させる戻りばね６０と、ピストン５７に内蔵された第１逆止弁６１と、ピストン５７で加圧された流体の出口に設けられた第２逆止弁６２と、この第１及び第２逆止弁を同時開放する開放装置６３、６４とを備えている。
【００３６】
シリンダブロック５８は、台の上に安定に置くことができるように鍔状の基部５８ａを一体に備えている。基部５８ａの底面には滑り止めのＯリング６５が設けられている。
【００３７】
第１逆止弁６１は、ピストン５７の両側の吸入室６６と吐出室６７とを繋ぐようにピストン５７を貫通する流体通路に設けられており、吐出室６７から吸入室６６への水の流れを止める方向にして設けられている。第２逆止弁６２を通過した加圧流体は、接続ホース１５を通って指圧器本体の流体室３に供給される。第２逆止弁６２は、流体室３からの流体の戻りを止める方向にして装着されている。逆止弁の開放装置６３、６４は、逆止弁６１、６２を同時に開放して、止めている方向の流れを通過可能にするものである。
【００３８】
水容器５６は、図１０に示すように、円筒を直径方向の溝状空間６９で二分した振り分け形の容器で、シリンダブロック５８の上面に固定されている。溝状空間６９の上端部から断面逆Ｕ字状のハンドルバー７０が両側に伸びており、その先端に操作レバー５９の外端がピン７１で枢着されている。パイプ体で形成された操作レバー５９の揺動端となる内端は、溝状空間６９内に遊動可能に挿入された連結部材７２の両端に突出する球体突起７３に嵌装されている。溝状空間６９の中央頂部と連結部材７２との間には、戻りばねとなる圧縮コイルばね６０が装架されている。２つの水容器５６には、これらを一体にして閉鎖する円板状の上蓋７４が設けられている。操作レバー５９には、滑り止め７５が設けられている。
【００３９】
シリンダブロック５８の中央には、シリンダ孔７６が設けられ、このシリンダ孔の下端は、底蓋７７で閉鎖されている。ピストン５７は上端を連結部材７２に固定したピストンロッド７８の下端に一体に形成されており、ピストンロッド７８の下端と、ピストン５７に下から挿入された弁座６８との間に逆止弁６１の弁体となるボール６１ａが上下誘導可能に挿入され、かつこのボール６１ａを弁座６８に向けて付勢するばね７９がピストンロッド７８の下端中央に設けたばね室８０に収容して設けられている。
【００４０】
ばね室８０の下端には、このばね室とピストンロッドの外周の吐出室６７とを連通する通孔８１が設けられている。吸入室６６は、ピストン５７と底蓋７７との間に形成され、弁座６８の軸心に設けた貫通孔６８ａと前記通孔８１とが吸入室６６と吐出室６７とを連通する流体通路となっている。なお、図８に示したピストン５７の下降端の位置では、底蓋７７の中央に立設された第１ロッド６３が弁座の貫通孔６８ａに挿入されてその先端でボール６１ａを押し上げ、第１逆止弁６１を強制的に開放している。貫通孔６８ａと第１ロッド６３の間には隙間があり、図の状態でも前記流体通路６８ａ、８１は連通している。ピストンロッド７８には、ばね室８０から上方に伸びる空気抜き孔８２が設けられ、この空気抜き孔の上端は、ねじ止め式のプラグ８３で閉鎖されている。
【００４１】
上端が水容器５６に開口し下端が吸入室６６に開口する吸入孔８４は、図８ではシリンダ孔７６の側方に二点鎖線で描かれているが、実際には図９に点線で示すように、図８に示す位置から紙面手前側と奥側に９０度ずれた位置に１個ずつ設けられて、振り分けにした水容器５６の２つの底部に連通している。
【００４２】
シリンダ孔７６の側方一箇所に下端が折れ曲がって基部５８ａの側方に開口する上下方向の吐出孔８５が設けられている。この吐出孔は、上半が小径で下半が大径となっており、中央の段部に第２逆止弁の弁座８６が嵌合され、この弁座に弁体となるボール６２ａが大径側に設けた押しばね８７で付勢されて下方から当接している。吐出孔８５の下端は、その開口に連結したホースで指圧器本体の流体室３に連通されている。吐出孔８５の小径側には、その上端を密閉する第２ロッド６４が摺動自在に挿通され、その上端がシリンダブロック５８の上面に突出すると共に、下端が第２逆止弁のボール６２ａに当接している。図８に示すピストン５７が下降端に達すると、第２ロッド６４が連結部材７２で押込まれ、その下端がボール６２ａを押し下げて第２逆止弁６２を開放する。
【００４３】
上記構造において、装置上端から両側に伸びるハンドルバー７０と操作レバー５９とを両手で握り、操作レバー５９を握り上げると、ピストン５７が上動して水容器５６内の水を指圧器本体１へと供給する。ピストン５７が下降端に達しないストロークで操作レバー５９を往復させると、ピストン５７が繰り返し上下動して、指圧器本体の流体室３の圧力を逐次上昇させる。シリンダブロック５８と連結部材７２との間にスペーサを挿入してピストン５７が下降端に達しないようにするか、戻りばね６０をピストン５７を下降端にまで押し下げない力にするかしてやれば、この状態でハンドルから手を離せば、指圧器本体の流体室３の加圧状態が保持される。連結部材７２とシリンダブロック５８との間の前記スペーサを抜き取るか、あるいは操作レバー５９を強制的に押し下げてピストン５７を下降端に移動させると、２個の逆止弁の弁体６１ａ、６２ａがそれぞれロッド６３、６４で弁座６８、８６から離隔させられて、逆止弁６１、６２が開放され、指圧器本体に供給されていた圧力流体は逆流して水容器５６内に戻る。
【００４４】
上記のような手動の加圧器を用いれば、流体容器５６に所定量の流体（水）を入れておくことにより、水道圧の変動などに影響されることなく、使用者が望む時に望む場所で簡易に指圧装置を使用でき、もちろん浴槽内で使用することも可能な、構造が簡単で手軽に使用することが可能な足裏指圧装置を提供できる。
【００４５】
また、上記構造の加圧器５５は、その操作が単純であるから、高齢者であっても操作が困難であるということはなく、操作レバー５９の操作回数や操作ストロークによって突起６の押圧力を自分の好む力にすることができると共に、開放装置６３、６４を操作するまで押圧力が保持されるので、好みの時間継続して指圧作用を維持させることができる。
【図面の簡単な説明】
【００４６】
【図１】この発明の一実施形態を示す全体平面図
【図２】図１のＢ‐Ｂ断面図
【図３】図１のＣ‐Ｃ断面図
【図４】図１のＤ‐Ｄ断面図
【図５】図４のＡ‐Ａ断面図
【図６】図１のＥ‐Ｅ断面図
【図７】手動開閉弁の断面側面図
【図８】手動加圧器の断面正面図
【図９】手動加圧器の上面図
【図１０】手動加圧器の側面図
【符号の説明】
【００４７】
３  流体室
５  受板
６  突起
８  突起群
９  突起群
11  開閉弁
33  長孔
55  加圧器
56  水容器
57  ピストン
59  操作レバー
60  戻りばね
61  第１逆止弁
63  開放装置
64  開放装置
68a  貫通孔
85  吐出孔
【図１】
2006158960.tif 000003
【図２】
2006158960.tif 000004
【図３】
2006158960.tif 000005
【図４】
2006158960.tif 000006
【図５】
2006158960.tif 000007
【図６】
2006158960.tif 000008
【図７】
2006158960.tif 000009
【図８】
2006158960.tif 000010
【図９】
2006158960.tif 000011
【図１０】
2006158960.tif 000012